(57)【要約】【課題】塵埃の吸引力及び噴射力の調整が容易に行える空気噴射装置を提供する。【解決手段】塵埃を吹き飛ばしたり吸引する為の開口部２と、電気掃除機（図示せず）の吸引力が作用すると共にその吸引力で動作する吸引ファン５を有する吸引室６と、噴射力を発生する噴射ファン９を有する噴射室１０と、吸引ファン５の動力を噴射ファン９へ伝達する回転軸１３と、吸引ファン５を回転させる為の外気を取り込むと共に取り入れる外気の量を変える蓋体１７を有する空気取込口７と、開口部２から空気の吸引または空気の噴射を切替える切替器１４とを備え、使用者が、電気掃除機のホース（図示せず）の一端に配され電気掃除機の電動送風機（図示せず）の駆動量を任意に変えることができる操作手段２０を操作することにより、切替器１４による空気の吸引、噴射の切り替えや、蓋体１７の駆動量を変えられるようにしたもので、吸引力及び噴射力の調整が容易に行える。【選択図】図１
2013094221.tif 000002
【特許請求の範囲】
【請求項１】
塵埃を吹き飛ばしたり吸引する為の開口部と、電気掃除機の吸引力が作用する吸引室と、空気を噴射するための機能を有する噴射室と、前記吸引室に配され吸引力により動作する吸引ファンと、前記噴射室に配され噴射力を発生する噴射ファンと、前記吸引ファンの動力を前記噴射ファンへ伝達する動力伝達手段と、前記吸引ファンを回転させる為に外気を取り込むための空気取込口と、前記開口部からの空気の吸引または空気の噴射を切替える為の切替器と、前記切替器を駆動する駆動手段と、前記空気取込口から取り入れる外気の量を変えるための蓋体と、前記蓋体を動作させる為の蓋体駆動手段を備え、使用者が、前記電気掃除機のホースの一端に配され前記電気掃除機の電動送風機の駆動量を任意に変えることができる操作手段を操作することにより、前記切替器による空気の吸引、噴射の切り替えや、前記蓋体の駆動量が変えられるようにしたことを特徴とした空気噴射装置。
【請求項２】
電動送風機の駆動量を変えて、吸引力及び噴射力の調整を行なえるようにした請求項１に記載の空気噴射装置。
【請求項３】
吸引風を発する電動送風機を内蔵した電気掃除機本体と、前記電気掃除機本体に設けた集塵室と、前記電気掃除機本体に装着され、床面の塵埃を吸引するためのホースと、前記ホースの一端に配されると共に、使用者が前記電動送風機の駆動量を任意に変えるための操作手段と、請求項１又は２に記載の空気噴射装置とを備えた電気掃除機。
【発明の詳細な説明】
【技術分野】
【０００１】
本発明は、空気を噴射することにより塵埃を吹き飛ばす空気噴射装置及びそれを用いた電気掃除機に関するものである。
【背景技術】
【０００２】
塵埃を吹き飛ばす機能（以下、ブロアー機能と称す）を備えた従来の技術の代表例は、電気掃除機の排気をブロアーに利用した形態が挙げられる。
【０００３】
以下に従来の技術として、ブロアー機能を備えた電気掃除機について図７〜９を用いて説明する。
【０００４】
図７は、上記特許文献１に記載された従来の電気掃除機の全体図、図８は、同電気掃除機の通常使用時の横断面図、図９は、同電気掃除機のブロアー機能使用時の横断面図である。
【０００５】
図７において、電気掃除機本体５０は、本体制御手段４９と、電動送風機５７と、集塵室５８を内蔵している。電気掃除機本体５０の前部に設けられた接続口５１は、集塵室５８に連通すると共に、ホース５３の一端に配した接続パイプ５２が接続される。吸込口体５６は、ホース５３の他端に配した手元操作部５４もしくは延長管５５を介して集塵室５８と連通接続される。
【０００６】
図８、９において、電動送風機支持壁５９は、上下２分割構成をとることで、電動送風機５７の後端を軟質ゴム６０を介して挟持する。排気口６１は、電動送風機５７から排出される気流６２を電気掃除機本体５０の外部へ排出するもので、電動送風機５７と排気口６１を連通する排気通路６３は、電動送風機支持壁５９と隔離壁６４とで、閉ざされた空間を形成する。
【０００７】
さらに、回動軸６６により開閉自在な開閉蓋体６５の凸部６７は、接続パイプ５２を連通接続できる構成となっている連結口６８にはまり込む構成をとると共に接続パイプ５２を連通接続した際には、電動送風機支持壁５９と当接し、排気通路６３を遮断する構成をとっている。
【０００８】
以上のように構成された従来の電気掃除機においては、図８に示すように、通常使用時には、接続口５１から吸引された気流６２は、電動送風機５７から排気通路６３を経て排気口６１から排出される。なお、この時、開閉蓋体６５は、閉じた状態にあり、開閉蓋体６５の凸部６７が連結口６８にはまり込むことで外部からの空気の流入を防止している。
【０００９】
一方、図９に示すように、ブロアー使用時に、接続パイプ５２を連結口６８に連通接続すれば、開閉蓋体６５が回動し、それが電動送風機支持壁５９と当接する位置で停止することで、排気通路６３を遮断するため、接続口５１から吸引された気流６２は、電動送風機５７から排気通路６３を途中まで経て、連結口６８さらにはホース５３や延長管５５を経て外部へ噴射される。
【００１０】
また、特許文献１に記載されたように、通常使用する場合は、ホース５３を図７のように電気掃除機本体５０に接続して、ホース５３の他端にある手元操作部５４の先あるいは延長管５５に接続して、吸気を利用して吸引ファンを回転させ、その動力で噴射ファンをまわすことで、別の空気取り入れ口から吸入した空気を噴射させるものも提案されていた
。
【先行技術文献】
【特許文献】
【００１１】
【特許文献１】特開２０００−２１７７４６号公報
【発明の概要】
【発明が解決しようとする課題】
【００１２】
しかしながら、上記従来例の様な電気掃除機の排気をブロアーに利用した形態では、実際はクリーンな排気であっても、塵埃を吸引した排気を利用するという面で、不衛生なイメージを抱かれたり、従来例の様な塵埃の吸引に使用しているホースや延長管等を利用する形態の物では、吸引経路に付着した微量な塵埃が噴射する恐れがあるなど、衛生面で懸念されて利用機会が減り、近年は、この形態でのブロアー機能つきの電気掃除機は少なくなっている。
【００１３】
また、従来の排気風を利用したブロアー機能や、吸気風を利用して噴射ファンを回転させ空気を噴射させる方式では、排気や噴射の強さを調整する機能が無い為、使用者の近傍にある塵埃にむけて噴射を行った場合、使用者の考えている以上の強さで、塵埃を遠方へ吹き飛ばすと共に、塵埃を周囲に撒き散らし汚してしまうという課題があった。
【００１４】
本発明は、以上のような従来の課題を解決しようとするものであって、衛生的なブロアー機能および吸引機能を持ち、使用者が必要に応じて噴射する空気量を調整することができるようにした、非常に使い勝手のよい空気噴射装置及びそれを用いた電気掃除機を提供することを目的としている。
【課題を解決するための手段】
【００１５】
上記従来の課題を解決するため、本発明の空気噴射装置は、塵埃を吹き飛ばしたり吸引する為の開口部と、電気掃除機の吸引力が作用する吸引室と、空気を噴射するための機能を有する噴射室と、前記吸引室に配され吸引力により動作する吸引ファンと、前記噴射室に配され噴射力を発生する噴射ファンと、前記吸引ファンの動力を前記噴射ファンへ伝達する動力伝達手段と、前記吸引ファンを回転させる為に外気を取り込むための空気取込口と、前記開口部からの空気の吸引または空気の噴射を切替える為の切替器と、前記切替器を駆動する駆動手段と、前記空気取込口から取り入れる外気の量を変えるための蓋体と、前記蓋体を動作させる為の蓋体駆動手段を備え、使用者が、前記電気掃除機のホースの一端に配され前記電気掃除機の電動送風機の駆動量を任意に変えることができる操作手段を操作することにより、前記切替器による空気の吸引、噴射の切り替えや、前記蓋体の駆動量が変えられるようにしたもので、操作手段の操作で、塵埃の吸引力及び噴射力の調整が容易に行えるので、使用勝手の良い空気噴射装置を提供することができる。
【００１６】
また、本発明の電気掃除機は、吸引風を発する電動送風機を内蔵した電気掃除機本体と、前記電気掃除機本体に設けた集塵室と、前記電気掃除機本体に装着され、床面の塵埃を吸引するためのホースと、前記ホースの一端に配されると共に、使用者が前記電動送風機の駆動量を任意に変えるための操作手段と、請求項１又は２に記載の空気噴射装置とを備えたもので、塵埃の吸引力及び噴射力の調整が容易に行えるので、使用勝手の良い電気掃除機を提供することができる。
【発明の効果】
【００１７】
本発明の空気噴射装置及びそれを用いた電気掃除機は、噴射する空気量を使用者が必要により調整することができるため、非常に使い勝手のよい空気噴射装置及びそれを用いた電気掃除機を提供することができる。
【図面の簡単な説明】
【００１８】
【図１】本発明の実施の形態１における空気噴射装置の略断面図
【図２】同空気噴射装置の略断面図
【図３】同空気噴射装置の略断面図
【図４】（ａ）同空気噴射装置の略断面図、（ｂ）同空気噴射装置の略断面図
【図５】同空気噴射装置の操作手段の略図
【図６】同空気噴射装置の略断面図
【図７】従来の電気掃除機の全体図
【図８】同電気掃除機の通常使用時の横断面図
【図９】同電気掃除機のブロアー機能使用時の横断面図
【発明を実施するための形態】
【００１９】
第１の発明は、塵埃を吹き飛ばしたり吸引する為の開口部と、電気掃除機の吸引力が作用する吸引室と、空気を噴射するための機能を有する噴射室と、前記吸引室に配され吸引力により動作する吸引ファンと、前記噴射室に配され噴射力を発生する噴射ファンと、前記吸引ファンの動力を前記噴射ファンへ伝達する動力伝達手段と、前記吸引ファンを回転させる為に外気を取り込むための空気取込口と、前記開口部からの空気の吸引または空気の噴射を切替える為の切替器と、前記切替器を駆動する駆動手段と、前記空気取込口から取り入れる外気の量を変えるための蓋体と、前記蓋体を動作させる為の蓋体駆動手段を備え、使用者が、前記電気掃除機のホースの一端に配され前記電気掃除機の電動送風機の駆動量を任意に変えることができる操作手段を操作することにより、前記切替器による空気の吸引、噴射の切り替えや、前記蓋体の駆動量が変えられるようにしたもので、操作手段の操作で、塵埃の吸引力及び噴射力の調整が容易に行えるので、使用勝手の良い空気噴射装置を提供することができる。
【００２０】
第２の発明は、特に、第１の発明の電動送風機の駆動量を変えて、吸引力及び噴射力の調整を行なえるようにしたもので、塵埃の吸引力及び噴射力の調整を幅広く行うことができる。
【００２１】
第３の発明に係る電気掃除機は、吸引風を発する電動送風機を内蔵した電気掃除機本体と、前記電気掃除機本体に設けた集塵室と、前記電気掃除機本体に装着され、床面の塵埃を吸引するためのホースと、前記ホースの一端に配されると共に、使用者が前記電動送風機の駆動量を任意に変えるための操作手段と、請求項１又は２に記載の空気噴射装置とを備えたもので、塵埃の吸引力及び噴射力の調整が容易に行えるので、使用勝手の良い電気掃除機を提供することができる。
【００２２】
以下、本発明の実施の形態について、図面を参照しながら説明する。なお、この実施の形態によって本発明が限定されるものではない。
【００２３】
（実施の形態１）
以下本発明の実施の形態１における空気噴射装置について、図１〜図６を用いて説明する。図１から図４は、本実施の形態における空気噴射装置１の内部構成を略断面図で示したものである。なお、従来の電気掃除機と同一部分については、同一符号を付してその説明を省略する。
【００２４】
図１〜４において、本実施の形態における空気噴射装置１は、開口部２と、排出口４と、内部に吸引ファン５を装備した吸引室６と、吸引ファン５を回転させる為に吸引室６内に外気を吸引する為の空気取込口７と、第２の空気取込口８と、内部に噴射ファン９を装備した噴射室１０と、吸引室６の側面と噴射室１０とを回転自在に連結保持した連結部１
１と、連結部１１に固定された軸受１２と、両端に吸引ファン５と噴射ファン９を保持すると共に、軸受１２で回転自在に保持された動力伝達手段である回転軸１３とを備えている。
【００２５】
また、吸引ファン５と噴射ファン９は、シロッコ形のファンで形成し、排出口４は、吸引室６上の吸引ファン５の回転中心部に、第２の空気取込口８は、噴射室１０上の噴射ファン９の回転中心部に、それぞれ連結部１１とは反対側の面に開口して配している。
【００２６】
開口部２と、吸引室６または噴射室１０との連通を切り替えるための切替器１４があり、切替器１４の近傍には、切替器１４を動作させる為の駆動手段１５および制御手段１６が備えられている。また、空気取込口７の開口部７ａには、開口面積を変化させるための蓋体１７が備えられ、蓋体駆動手段１８により動作させることができるようになっている。また、この蓋体駆動手段１８も制御手段１６により動作が制御されている。接続部１９により、電気掃除機のホース５３と接続を行い、ホース側接続部近傍の使用者が操作を行いやすい場所に、操作手段２０を配している。
【００２７】
以上のように構成された本実施の形態における空気噴射装置の動作、作用を説明する。図２に示しているように、切替器１４を、駆動手段１５によって噴射室１０側に移動した状態で、電気掃除機本体５０に接続されている接続パイプ５２または延長管５５に排出口４を接続し、その状態で電気掃除機本体５０を動作させると、排出口４から強力な吸引風が発生する。
【００２８】
そのとき開口部２及び空気取込口７から外気が吸引され、図２に示している矢印のように開口部２から排出口４へ、空気取込口７から排出口４へとそれぞれ吸気風が流れることとなる。空気取込口７からは、塵埃を吸引せず外気のみを吸引するように空気取込口７の表面が全開しないように、網目状のような形状のもので塵埃が吸い込まれるのを防止するもので覆うようにする。また、使用者が、開口部２を掃除したい床面等に近づけたとき、床面に塵埃がある場合には、開口部２から塵埃を吸引し、排出口４から接続パイプ５２を通過して電気掃除機内の集塵室５８に収納される。
【００２９】
次に、図３に示しているように、切替器１４を、駆動手段１５によって吸引室６側に移動させた場合、切替器１４により風の流れが遮られるため、開口部２からの吸引風は流れず、空気取込口７からは、図の様に排出口４に向かって吸引風量が発生する。このとき空気取込口７から吸引された吸引風によって、吸引ファン５を回転させることができる。回転した吸引ファン５は、軸受１２で保持された回転軸１３を通して吸引ファン５の動力を噴射ファン９に伝え、噴射ファン９を回転させる。回転する噴射ファン９は、第２の空気取込口８から外気を吸引し、開口部２から、吸引された空気を噴射する。図３には、その時の吸引風を太線矢印で、噴射風を二重線矢印でそれぞれ示している。
【００３０】
このように、切替器１４を切替することにより、開口部２から吸引を行ったり、空気を噴射することができるようになり、開口部２を、掃除を行いたい床面等に近づけ、床面にある塵埃を吸引したり、逆に噴射することで掃除を行うことが可能となる。
【００３１】
次に、図４に示しているように、空気取込口７に配されている蓋体１７について説明する。
【００３２】
図４（ａ）のように、蓋体１７が、開口部７ａを全開する位置で停止している場合、空気取込口７から吸引される吸気風は最大状態となる。この吸気風により、吸引ファン５を回転させているため、この場合においては、吸引ファン５の回転数は最大の状態となる。吸引ファン５は、回転軸１３を介して噴射ファン９を同じ回転数で回転させている。した
がって噴射ファン９の回転数も最大状態となるため、第２の空気取込口８から吸引する外気も最大の状態となり、その結果、開口部２から噴射される空気量も最大の状態となる。
【００３３】
また空気噴射装置１を、接続部１９を介してホース５３に接続した場合、電気掃除機本体５０内の電動送風機５７の駆動量を、電動送風機５７の風量が最大定格のほぼ中間となるように設定する。ここから、電動送風機５７の駆動量を大きくすると、吸引ファン５の回転数が最大となったところからさらにもう一段階風量を増やすことができるようになる。
【００３４】
次に、図４（ｂ）のように、蓋体１７が、開口部７ａを塞ぎ、空気取込口７から吸引される吸引風を少なくした場合、空気取込口７から吸引される空気量は少なくなり、吸引ファン５及び噴射ファン９の回転数は小さくなる。したがってこの場合、第２の空気取込口８から吸引される外気も少ない状態となり、開口部２から噴射される空気量が少なくなる。
【００３５】
ここでも電動送風機の駆動量を少なくすることで、ここからさらに空気噴射装置１の風量を小さくすることができるようになる。このように空気噴射装置１の入力を大きな幅で変化させることができるようになり、使い勝手の良い空気噴射装置となる。
【００３６】
次に、図５に操作手段２０の例を示す。この図にあるように、操作手段２０は、使用者が、上記のような動作をさせるためのものである。
【００３７】
「吸引」ボタン２０ａ、「噴射」ボタン２０ｂでは、切替器１４の動作を行うことができる。また「噴射」の中の「最大」ボタン２０ｇ、「大」ボタン２０ｆ、「中」ボタン２０ｅ、「小」ボタン２０ｄ、「最小」ボタン２０ｃで、蓋体１７および電動送風機５７の動作量を変化させて噴射させる空気量を選択することができるものである。
【００３８】
本実施の形態における空気噴射装置１は、手元操作部５４や延長管５５に接続して使用されるものである。手元操作部５４及び延長管５５には、吸込口体５６への電源を供給するためにすでに配線がされている場合が多い。そこで、図６に示すように、空気噴射装置１の接続部１９に、電源・信号供給線２１を配し、電気掃除機本体５０から手元操作部５４、延長管５５を介して電源供給を行うとともに、操作手段２０で使用者が選択した動作を伝えることができるようにしている。
【００３９】
以上のように、本実施の形態における空気噴射装置１によれば、使用者が操作手段２０を操作することで、噴射機能および吸引機能の切替および噴射する空気量を調整することが可能であり、非常に使い勝手のよい空気噴射装置を提供することができる。
【００４０】
また、上記実施の形態における空気噴射装置１を、ホース５３の手元操作部５４や延長管５５の先端に取り付け、操作手段２０を操作するだけで、塵埃の吸引力及び噴射力の調整が容易に行えるので、使用勝手の良い電気掃除機を提供することができる。
【産業上の利用可能性】
【００４１】
以上のように、本発明にかかる空気噴射装置及びそれを用いた電気掃除機は、開口部から空気を吸引し、塵埃があり吸引を行いたいところでは十分な吸引を行い、同時に開口部から掃除を行う場所の状況に合わせて空気を噴射する量を使用者が調整し、通常の吸引では掃除しにくい場所を効率よく簡単に掃除することができ、非常に使い勝手が良く掃除を行うことができるものとして極めて有用である。
【符号の説明】
【００４２】
１  空気噴射装置
２、７ａ  開口部
４  排出口
５  吸引ファン
６  吸引室
７  空気取込口
８  第２の空気取込口
９  噴射ファン
１０  噴射室
１１  連結部
１２  軸受
１３  回転軸（動力伝達手段）
１４  切替器
１５  駆動手段
１６  制御手段
１７  蓋体
１８  蓋体駆動手段
１９  接続部
２０  操作手段
２１  電源・信号供給線
【図１】
2013094221.tif 000003
【図２】
2013094221.tif 000004
【図３】
2013094221.tif 000005
【図４】
2013094221.tif 000006
【図５】
2013094221.tif 000007
【図６】
2013094221.tif 000008
【図７】
2013094221.tif 000009
【図８】
2013094221.tif 000010
【図９】
2013094221.tif 000011